(57)【特許請求の範囲】
【請求項１】
筆記体の内部に熱変色性インキを収容し、前記筆記体の前端に前記熱変色性インキが吐出可能なペン先を設け、前記筆記体を軸筒内に前後方向に移動可能に収容し、前記筆記体を軸筒内に設けた弾発体により後方に付勢し、前記筆記体のペン先を軸筒の前端孔から出没可能に構成した熱変色性筆記具であって、
前記軸筒の側壁に前後方向に移動可能にクリップ体を突出させ、前記クリップ体前部の径方向内面に玉部を突出させ、ペン先没入状態から前記クリップ体を弾発体の後方付勢に抗して前方に移動し、前記クリップ体の玉部を軸筒側壁の係止部に係止させることによってペン先突出状態にし、前記ペン先突出状態から前記クリップ体の玉部と軸筒側壁の係止部との係止を解除することによってペン先没入状態にする出没機構を備え、前記軸筒の後端に、前記熱変色性インキの筆跡を摩擦しその際に生じる摩擦熱で該筆跡を熱変色可能な摩擦部を設けるとともに、前記摩擦部が弾性材料からなり、前記摩擦部の一部がペン先没入状態のクリップ体に当接することを特徴とする熱変色性筆記具。
【請求項２】
前記軸筒が、先細円筒状の前軸と、該前軸の後端部に連結される円筒状の中間軸と、該中間軸の後端部に連結される円筒状の後軸とからなり、前記後軸の後端に前記摩擦部を設けるとともに、前記中間軸の側壁及び後軸の側壁に、クリップ体が前後方向に移動可能に突出する、前後方向に延びるスライド孔を形成したことを特徴とする請求項１記載の熱変色性筆記具。
【発明の詳細な説明】
【技術分野】
【０００１】
本発明は、熱変色性筆記具に関する。詳細には、筆記体の内部に熱変色性インキを収容し、前記筆記体の前端に前記熱変色性インキが吐出可能なペン先を設け、前記筆記体を軸筒内に前後方向に移動可能に収容し、前記筆記体のペン先を軸筒の前端孔から出没可能に構成した熱変色性筆記具に関する。
【背景技術】
【０００２】
特許文献１には、軸筒内に筆記体を前後方向に移動可能に収容し、軸筒の外面に操作部を設け、前記操作部を操作することにより前記筆記体のペン先を軸筒の前端孔から出没可能に構成し、前記筆記体の内部に熱変色性インキを収容し、前記筆記体の前端に前記熱変色性インキが吐出可能なペン先を設け、前記軸筒の外面に、前記熱変色性インキの筆跡を摩擦しその際に生じる摩擦熱で該筆跡を熱変色可能な摩擦部を設けた熱変色性筆記具が開示されている。
【０００３】
前記特許文献１は、軸筒後端の操作部を前方に押圧するタイプにおいて操作部に摩擦部を設けた場合、該摩擦部を用いて摩擦操作すると、被筆記面によって操作部が前方に移動し、安定した摩擦操作を行うことができないおそれがある。特に、ペン先突出操作及びペン先没入操作のいずれもが操作部を前方に押圧操作するタイプの出没機構（いわゆるダブルノック式）を採用し且つ操作部に摩擦部を設けた場合、ペン先突出状態において操作体が前後方向にがたつき、安定した摩擦操作を行うことができないおそれがある。
【０００４】
また、特許文献１の図１２には、筒状の操作部を前後方向に移動可能に設け、前記筒状の操作部の外面にポケット等に挟持可能なクリップを突設し、前記筒状の操作部の後端外面に摩擦部を設けた構成が開示されている。しかし、この構成の熱変色性筆記具は、ペン先の出没操作時に摩擦部を押圧するため、摩擦部が手垢等で汚れるおそれがある。そして、前記摩擦部が汚れた状態で熱変色性インキの筆跡を摩擦した場合、筆跡を有する被筆記面（例えば紙面）が汚れるおそれがある。
【０００５】
また、特許文献１の図１５には、操作部を軸筒側壁より径方向外方に突出させ、前記操作部を後方付勢に抗して前方に押圧操作することにより、ペン先没入状態からペン先突出状態にする構成（いわゆる多芯タイプのサイドスライド式）の出没機構を備え、軸筒の後端外面に摩擦部を設けた構成が開示されている。しかし、この構成の熱変色性筆記具は、ペン先突出状態からペン先没入状態にする際（ペン先突出状態を解除する際）、他の筆記体に取り付けられた操作体を操作しなければならない。そのため、複数の操作体（即ち複数の突出部分）を設ける必要があり、外観デザイン上の自由度が減少する。さらには、ポケット等に挟持可能なクリップを軸筒に設ける場合、より一層、突出部分が増え、外観デザイン上の自由度が減少する。
【先行技術文献】
【特許文献】
【０００６】
【特許文献１】国際公開第２００８／１０５２２７号パンフレット
【発明の概要】
【発明が解決しようとする課題】
【０００７】
本発明は前記従来の問題点を解決するものであって、摩擦部を用いて安定した摩擦操作が可能となり、さらに、摩擦部が手垢等で汚れることを回避でき、しかも、外観デザイン上の自由度が増加する熱変色性筆記具を提供しようとするものである。尚、本発明で、「前」とは、ペン先側を指し、「後」とは、その反対側を指す。尚、本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００８】
＜１＞本願の第１の発明は、筆記体９の内部に熱変色性インキを収容し、前記筆記体９の前端に前記熱変色性インキが吐出可能なペン先９１を設け、前記筆記体９を軸筒２内に前後方向に移動可能に収容し、前記筆記体９を軸筒２内に設けた弾発体７により後方に付勢し、前記筆記体９のペン先９１を軸筒２の前端孔３１から出没可能に構成した熱変色性筆記具であって、前記軸筒２の側壁に前後方向に移動可能にクリップ体６を突出させ、前記クリップ体６前部の径方向内面に玉部６２を突出させ、ペン先没入状態から前記クリップ体６を弾発体７の後方付勢に抗して前方に移動し、前記クリップ体６の玉部６２を軸筒２側壁の係止部４２に係止させることによってペン先突出状態にし、前記ペン先突出状態から前記クリップ体６の玉部６２と軸筒２側壁の係止部４２との係止を解除することによってペン先没入状態にする出没機構を備え、前記軸筒２の後端に、前記熱変色性インキの筆跡を摩擦しその際に生じる摩擦熱で該筆跡を熱変色可能な摩擦部１０を設けたことを要件とする。
【０００９】
前記第１の発明の熱変色性筆記具１は、摩擦部１０を軸筒２の後端に設けたことにより、摩擦操作時、摩擦部１０の後方への移動が阻止されるため、摩擦部１０を用いて安定した摩擦操作が可能となる。また、前記第１の発明の熱変色性筆記具１は、ペン先９１を出没する際、クリップ体６を操作し、摩擦部１０を操作しないため、摩擦部１０が手垢等で汚れることを回避できる。また、前記第１の発明の熱変色性筆記具１は、軸筒２の側壁にクリップを設けたにもかかわらず、従来の多芯タイプのサイドスライド式の熱変色性筆記具に比べ、突出部分が少なく、外観デザイン上の自由度が増加し、スマートな外観を得ることができる。
【００１０】
尚、本発明において、前記クリップ体６の玉部６２は、軸筒２側壁との間においてポケット等に挟持可能なものである。尚、本発明において、軸筒２の後端に摩擦部１０を設けるとは、前記摩擦部１０は、少なくとも摩擦操作時に、前記摩擦部１０を軸筒２の後端に設ける構成であればよく、例えば、摩擦部１０が軸筒２後端より出没する構成であってもよい。
【００１１】
＜２＞本願の第２の発明は、前記第１の発明の熱変色性筆記具１において、前記摩擦部１０が弾性材料からなり、前記摩擦部１０の一部がペン先没入状態のクリップ体６に当接してなることを要件とする。
【００１２】
前記第２の発明の熱変色性筆記具１は、ペン先突出状態からペン先没入状態にする際、弾発体７の後方付勢により筆記体９及びクリップ体６が後方移動し、クリップ体６と弾性材料よりなる摩擦部１０とが当接するため、その際に筆記体９に加わる衝撃を緩和できる。その結果、筆記体９内のインキの逆流等やペン先からの空気の混入を防止できる。
【発明の効果】
【００１３】
本発明の熱変色性筆記具は、摩擦部を用いて安定した摩擦操作が可能となり、さらに、摩擦部が手垢等で汚れることを回避でき、しかも、外観デザイン上の自由度が増加し、スマートな外観を得ることができる。
【図面の簡単な説明】
【００１４】
【図１】本発明の実施の形態のペン先没入状態を示す縦断面図である。
【図２】図１のペン先突出状態を示す縦断面図である。
【図３】熱変色性インキの変色挙動を示す説明図である。
【発明を実施するための形態】
【００１５】
図１及び図２に本発明の実施の形態を示す。
本実施の形態の熱変色性筆記具１は、軸筒２と、該軸筒２の側壁外面に前後方向に移動可能に設けた単一のクリップ体６と、該軸筒２内に収容される筆記体９と、該筆記体９のペン先９１を軸筒２の前端孔３１より出没自在にさせる出没機構とを備える。
【００１６】
・筆記体
前記筆記体９は、ペン先９１と、該ペン先９１が前端開口部に圧入固着されたインキ収容管と、該インキ収容管内に充填される熱変色性インキと、該熱変色性インキの後端に充填され且つ該熱変色性インキの消費に伴い前進する追従体（例えば高粘度流体）とからなる。
【００１７】
前記ペン先９１は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管の後端開口部に、インキ収容管と外部とが通気可能な通気孔を備えた尾栓が取り付けられる。
【００１８】
・軸筒
前記軸筒２は、先細円筒状の前軸３と、該前軸３の後端部に連結される円筒状の中間軸４と、該中間軸４の後端部に連結される円筒状の後軸５とからなる。前記中間軸４の側壁及び後軸５の側壁には、前後方向に延びるスライド孔２１が形成される。
【００１９】
前記前軸３は、合成樹脂の成形体からなる先細円筒状の本体３２と、該本体３２外面に設けられる弾性材料からなる把持部３３とからなる。前記把持部３３は、２色成形または装着により設けられる。前記前軸３の後端部は縮径され、その外面にはオネジ部が形成される。前記前軸３の前端には、前端孔３１が前後方向に貫設される。
【００２０】
前記中間軸４は、円筒状の合成樹脂の成形体からなる。前記中間軸４の前端部内面には、メネジ部が形成される。前記メネジ部に前記前軸３のオネジ部が螺合可能である。前記中間軸４の後端部側壁には、前後方向に延びる第１の長孔４１が形成される。前記第１の長孔４１の僅かに前方の中間軸４の側壁には、孔からなる係止部４２が形成される。前記係止部４２は、これ以外にも、凹部、凸部であってもよい。
【００２１】
前記後軸５は、円筒状の合成樹脂の成形体からなる。前記後軸５の前端部側壁には、前端が開放され且つ後端が閉鎖された、前後方向に延びる第２の長孔５１が形成される。また、前記後軸５の後端には、取付孔５２が前後方向に貫設される。前記取付孔５２に弾性材料からなる摩擦部１０が圧入嵌合される。前記第１の長孔４１と第２の長孔５１が連通するように、後軸５の前部を中間軸４の後端部に固着する。それにより、軸筒２の側壁にスライド孔２１が形成される。
【００２２】
前記クリップ体６は、前後方向に延びるクリップ本体６１と、該クリップ本体６１の前部の径方向内面に突設される玉部６２と、部該クリップ本体６１の後部に一体に連設される基部６４と、該基部６４より後方に突出され且つクリップ本体の後端よりも後方に一体に連設される操作部６３と、該基部６４の径方向内方に一体に連設されるＵ字状の屈曲部６５と、該屈曲部６５の後端部に一体に連設される当接部６６とからなる。前記クリップ体６は、合成樹脂の成形体により得られる。前記屈曲部６５の内面には、クリップ弾発体８（例えば圧縮コイルスプリング）が収容され、屈曲部６５を径方向の弾発力が付与される。これ以外にも、前記クリップ弾発体８を備えず、屈曲部６５のみの構成でも、屈曲部６５に径方向の弾発力を付与することができる。
【００２３】
前記摩擦部１０が固定された後軸５を中間軸４の後端部に連結することによって、前記摩擦部１０が軸筒２の後端に固定される。また、前軸３と中間軸４とが螺合により着脱自在に連結され、それにより、筆記体９を交換可能にできる。
【００２４】
・出没機構
前記出没機構は、クリップ体６を前後に移動させることにより、ペン先９１を出没させるものである。
【００２５】
・ペン先の出没
ペン先没入状態からクリップ体６を前方に、弾発体７による後方付勢に抗してスライド操作すると、クリップ体６の玉部６２が、軸筒２の側壁の係止部４２に係止され、ペン先突出状態が維持される。
【００２６】
ペン先突出状態からクリップ体６の操作部６３を径方向内方に押圧操作すると、基部６４を支点にしてクリップ体６の前端部が径方向外方に変位し、玉部６２と係止部４２との係止状態が解除される。
それと同時に、弾発体７による後方付勢により、筆記体９が後方に移動し、クリップ体６の当接部６６が摩擦部１０に当接され、ペン先没入状態が維持される。
【００２７】
・摩擦部
本実施の形態において、前記摩擦部１０を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部１０を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。また、前記摩擦部１０は、軸筒２の後端部外面に少なくとも設ければよく、例えば、軸筒２の後端部に弾性材料よりなる摩擦部１０を圧入、係合、螺合、嵌合、接着、２色成形等によって固着する構成、または軸筒２の全体もしくは後軸５の全体が弾性材料により一体に形成される構成が挙げられる。
【００２８】
・熱変色性インキ
本実施の形態において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２９】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００３０】
本実施の形態では、図３に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図３において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００３１】
本実施の形態では、前記熱変色性インキの摩擦部１０の摩擦熱による変色温度は、２５℃〜９５℃（好ましくは３６℃〜９５℃）に設定される。即ち、本実施の形態では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部１０による摩擦熱で容易に変色することができる。
【００３２】
本実施の形態の熱変色性筆記具１は、摩擦部１０を軸筒２の後端に設けたことにより、摩擦操作時、摩擦部１０の後方への移動が阻止されるため、摩擦部１０を用いて安定した摩擦操作が可能となる。また、前記第１の発明の熱変色性筆記具１は、ペン先９１を出没する際、クリップ体６を操作し、摩擦部１０を操作しないため、摩擦部１０が手垢等で汚れることを回避できる。また、前記第１の発明の熱変色性筆記具１は、軸筒２の側壁にクリップを設けたにもかかわらず、従来の多芯タイプのサイドスライド式の熱変色性筆記具に比べ、突出部分が少なく、外観デザイン上の自由度が増加し、スマートな外観を得ることができる。
【００３３】
本実施の形態の熱変色性筆記具１は、ペン先突出状態からペン先没入状態にする際、弾発体７の後方付勢により筆記体９及びクリップ体６が後方移動し、クリップ体６と弾性材料よりなる摩擦部１０とが当接するため、その際に筆記体９に加わる衝撃を緩和できる。その結果、筆記体９内のインキの逆流等やペン先９１からの空気の混入を防止できる。
【符号の説明】
【００３４】
１  熱変色性筆記具
２  軸筒
２１  スライド孔
３  前軸
３１  前端孔
３２  本体
３３  把持部
４  中間軸
４１  第１の長孔
４２  係止部
５  後軸
５１  第２の長孔
５２  取付孔
６  クリップ体
６１  クリップ本体
６２  玉部
６３  操作部
６４  基部
６５  屈曲部
６６  当接部
７  弾発体
８  クリップ弾発体
９  筆記体
９１  ペン先
１０  摩擦部
【図１】
0005603737.tif 000002
【図２】
0005603737.tif 000003
【図３】
0005603737.tif 000004